(57)【要約】      （修正有）【課題】携帯用拳銃の発射体の爆発雷管にデータを送信し、爆発雷管に挿入される処理装置にデータを送信するためのシステムを提供する。【解決手段】発射体は銃身の寸法に関して口径未満の型であり、銃身に対して銃身に発射体を正しく挿入するために発射体自身に適合し、銃身の外径に実質的に相応する外径を有するカプセル２によって形成されるアダプタが使用される。雷管にはコネクタがあり、電気的に雷管自身の内部に配置される処理装置を外部と接続する。コネクタと接触端２１の間の電子接続盤はカプセル内に収納され、同じ位置で複数の導電トラック（導電路）をカプセルの接触端２１と接着し、雷管のコネクタにピン４２の挿入をさせる。【選択図】図１
2011242124.tif 000002
【特許請求の範囲】
【請求項１】
携帯用拳銃の発射体（Ｐ）の爆発雷管（３）にデータを送信し、前記爆発雷管に挿入される処理装置に前記データを送信するためのシステムであって、前記発射体は銃身の寸法に関して口径未満の型であり、銃身に対して発射体を銃身に正確に挿入し得るためにキャップ（２）によって形成されるアダプタが使用され、キャップ（２）は銃身の外径に実質的に相当する外径を有する発射体に適合し、前記システムは爆発雷管（３）とキャップ（２）間の接続のため爆発雷管（３）、キャップ（２）上に備えられる電気導電要素を含み、携帯用拳銃を制御する中央電子装置から爆発雷管上の前記処理装置に電気導電路を創るようにすることを特徴とする。
【請求項２】
前記電気導電性要素はキャップ（２）の横側表面上に位置付けられる複数の電気接触端（２１）を含み、前記電気接触端はキャップ自身の外側から内側へ電気導電性を創り得る請求項１に従う装置。
【請求項３】
前記電気接触端（２１）はキャップの横側表面にお互いの頂部に組み込まれる環状の部分として作られる請求項２に従うシステム。
【請求項４】
前記電気導電要素は爆発雷管上にコネクタ（３１）を含み、前記コネクタは爆発雷管自身内に組み込まれる処理装置を外側と電気的に接続する請求項２に従うシステム。
【請求項５】
前記電気導電要素はコネクタ（３１）および接触端（２１）の間に組み込まれる電子接続盤（４）を含み、前記電子接続盤（４）はその上に備えられる複数の導電路（４１）の接着をキャップの接触端（２１）とし、爆発雷管のコネクタ（３１）内にピン（４２）の挿入を可能とするような位置で、キャップ内に位置付けられる請求項４に従うシステム。
【請求項６】
前記キャップ（２）は爆発雷管のコネクタ（３１）の位置に相応する位置に備えられる開口（２２）を含み、そのとき爆発雷管はコネクタおよびピン（４２）の間に期待される接続を可能とするような方法でキャップに挿入される請求項５に従うシステム。
【請求項７】
携帯用拳銃を制御するための中央装置およびキャップ（２）間の電気接続は、爆発雷管をプログラムするために必要な時間の間、接触端（２１）を前進しそして出合う可動支持体に配置される櫛型接触端を経てなされる請求項１に従うシステム。
【請求項８】
前記接続盤（４）上の提供品はトラック（４１）およびピン（４２）の間の接続のための回路（４３）である請求項５に従うシステム。
【請求項９】
前記接続回路は携帯用拳銃の中央装置から受信する信号を解読するかあるいは処理するための回路を含む請求項８に従うシステム。
【発明の詳細な説明】
【技術分野】
【０００１】
本発明は携帯用拳銃の爆発雷管にデータを送信するためのシステムに関する。特に、本発明は弾薬の爆発雷管にデータ送信のためのシステムに関し、雷管自身へそして特に雷管を管理するための電子機器へ標的の正確な到達のための必要な情報を伝えるために適用される。
【背景技術】
【０００２】
目標に正確に到達するために発射体の軌道を決定して発射体を駆動するための電子システムを内部に有するプログラム可能な雷管を利用できることが知られている。このようなシステムは標的に発射体を駆動するために、標的の位置を検知する、標的により輻射される熱を検知するための熱感知器、あるいは輻射周波数検知器に基本を置かれ得る。他のシステムは、例えばＧＰＳの座標から判る標的の位置に対して発射体を駆動するＧＰＳ検知器に基本を置かれる。
【０００３】
雷管に含まれる駆動システムを挿入するプログラムは雷管自身に、発射体が携帯用拳銃から発射される前に記憶されねばならない。
【０００４】
既知の技術で使用されるシステムはこのような伝達が携帯用拳銃内で電磁気的方法で行うことを備えている。適切な記述装置は雷管に含まれるアンテナに電磁気的にコード化される信号を送り、信号はシステムの管理の電子機器によってコードを解読される。
【０００５】
雷管をプログラムするための他の既知のシステムは雷管自身に取り付けられる可動フランジあるいはスリーブの手段によってプログラムパラメーターが組み込まれる機械的な型である。この場合、プログラムは携帯用拳銃に発射体の挿入前に行われる。
【０００６】
携帯用拳銃に電磁気的方法で行われるプログラムはしばしば困難であり、それは明らかな理由として環境が大変な騒音でそして電磁波に影響し得る多くの要因があるからである。
【発明の概要】
【発明が解決しようとする課題】
【０００７】
本発明は雷管にデータを送信するためのシステムを提供することによって上記の欠点を除去することであり、システムで雷管を挿入するためのプログラムの削除は電気導電要素の手段によって電気的方法で行い、雷管が収納される前部カプセルで雷管自身に実現されるが、これは携帯用拳銃を制御する中央電子機器から雷管に存在する電子処理装置への電気導電路を携帯用拳銃の銃身中で駆動しそして創るためである。
【課題を解決するための手段】
【０００８】
本発明の観点は付帯の請求項１の特徴を有する携帯用拳銃の雷管にデータを送信するデータ送信のためのシステムに関する。
【０００９】
さらなるシステムの特徴は以下の従属請求項に包含される。
【００１０】
本発明のさらなる範囲および利点は以下の説明および付帯の図面から明らかであり、ここには例示でそして制約のない方法で実施例のみ与えられる。
【図面の簡単な説明】
【００１１】
【図１】本発明に従う所謂前部“送弾筒（ｓａｂｏｔ）”に挿入される爆発雷管の分解組立図である；
【図２】本発明に従う雷管を伴う前部送弾筒に送信するための電子回路を示す；
【図３】本発明に従う前部送弾筒を示す；
【図４】本発明に従う雷管を示す；
【図５】本発明に従う雷管で装備される発射体を示す。
【００１２】
引用図面を参照して、本発明に従うシステムは発射体Ｐが発射される銃身を含む型の携帯用拳銃に適用し、そして銃身自身に発射体の挿入のため備える装填機構に適用する。
【発明を実施するための形態】
【００１３】
この種類の携帯用拳銃で発射体の寸法は通常銃身の直径よりも小さい。これらの場合において、発射体は“口径未満”の弾薬として知られていて、発射体に対して、銃身に発射体を正確に挿入するために、発射体に適合される銃身の外径に実質的に相当する外径を有するある種類の前部カプセル２（前部送弾筒（ｓａｂｏｔ）、キャップ）によって形成されるアダプタが使用される。カプセル２を付けた発射体はこの雷管３に適合され、そしてこのような方法で発射体は銃身に正確にそして容易に挿入される。
【００１４】
銃身に発射体の挿入の丁度前の相（ｐｈａｓｅ）で、雷管３は銃身中の挿入体を発射することによって装填される。このような操作は発射体にカプセル２を適合した後に優位になされる。
【００１５】
本発明に従って、雷管に正確なデータを送信する雷管に提供される電子処理装置のプログラムは電子的方法で行われる。特に、システムは前部カプセルの雷管で実現されそして相互送信のための電気導電要素を含み、これは携帯用拳銃を制御する中央電子装置から雷管のこのような処理装置への電気導電路を創るためである。
【００１６】
このような電気導電要素はカプセル２の横側表面上に位置付けられる複数の電気接触端２１を含み、そして雷管自身の外側から内側へ電気接続性を創るようにする。
【００１７】
このような電気接触端２１は望ましくはお互いに重なる円周上の位置で実現される。
【００１８】
雷管にはコネクタ３１があり、電気的に雷管自身の内部に配置される処理装置を外部と接続する。コネクタ３１と接触端２１の間の電子接続盤４はカプセル内に収納され、同じ位置で複数の導電トラック４１（導電路）をカプセルの接触端２１と接着し、雷管のコネクタ３１にピン４２の挿入をさせる。
【００１９】
優位に、このようなカプセル２は雷管がカプセルに挿入されるとき、雷管のコネクタ３１の位置に相当する位置に実現される開口２２を含み、開口とピンの間の接続を眼に見えるようにする。
【００２０】
携帯用拳銃の中央制御装置とカプセル間の電気接続は前進位置で可動支持体に配置される櫛型接触端（示されない）の手段によって、そして雷管をプログラムするために必要な時間、接触端２１を制御することによってなされ得る。
【００２１】
望ましくは、このような接続盤４上でトラック４１とピン４２の間に接続回路４３がまた提供される。このような接続回路は順次に解読回路を含み得るかあるいは一般的に携帯用拳銃の中央装置から受信する信号を処理するため解読回路を含み得る。
【符号の説明】
【００２２】
２    キャップ（カプセル、送弾筒）
３    爆発雷管
４    電子接続盤
２１  電気接触端
２２  開口
３１  コネクタ
４１  導電路（導電トラック）
４２  ピン
４３  接続回路
Ｐ    発射体
【図１】
2011242124.tif 000003
【図２】
2011242124.tif 000004
【図３】
2011242124.tif 000005
【図４】
2011242124.tif 000006
【図５】
2011242124.tif 000007
【外国語明細書】
2011242124.tif 000008
2011242124.tif 000009
2011242124.tif 000010
2011242124.tif 000011
2011242124.tif 000012
2011242124.tif 000013
2011242124.tif 000014
2011242124.tif 000015
2011242124.tif 000016
2011242124.tif 000017
2011242124.tif 000018
2011242124.tif 000019